(57)【要約】【課題】　アクティブマトリックス型有機ＥＬパネルのＯＥＬ素子を初期充電することができ、ＯＥＬ素子の輝度を向上させることができる高輝度カラー表示に適したアクティブマトリックス型有機ＥＬパネルの駆動回路を提供することにある。【解決手段】　この発明は、有機ＥＬ表示パネルのデータ線あるいはカラムピンに対応して設けられ、前記データ線あるいは前記カラムピンに接続される出力ピンを有し前記データ線あるいは前記カラムピンを介してピクセル回路のコンデンサを前記電圧値に充電する充電するための電流を発生しかつ前記有機ＥＬ素子を初期充電する充電するための電流を発生する多数の電流駆動回路と、前記コンデンサに前記電圧値を記憶するための書込み制御をしかつ書込まれた前記コンデンサの前記電圧値をリセットする制御をする書込制御回路とを備えるものである。【選択図】　　　図１
2004078210.tif 000002
【特許請求の範囲】
【請求項１】
　有機ＥＬ素子とこの有機ＥＬ素子の駆動電流の電流値に応じた電圧値を記憶するコンデンサと前記電圧値に応じて前記有機ＥＬ素子に前記駆動電流を出力するためのトランジスタとを有するピクセル回路がマトリックス状に配列された有機ＥＬ表示パネルを電流駆動するアクティブマトリックス型有機ＥＬパネルの駆動回路において、
　前記有機ＥＬ表示パネルのデータ線あるいはカラムピンに対応して設けられ、前記データ線あるいは前記カラムピンに接続される出力ピンを有し前記データ線あるいは前記カラムピンを介して前記ピクセル回路の前記コンデンサを前記電圧値に充電するための電流を発生しかつ前記有機ＥＬ素子を初期充電するための電流を発生する多数の電流駆動回路と、
　前記コンデンサに前記電圧値を記憶するための書込み制御をしかつ書込まれた前記コンデンサの前記電圧値をリセットする制御をする書込制御回路とを備えるアクティブマトリックス型有機ＥＬパネルの駆動回路。
【請求項２】
　さらに前記電流駆動回路は、前記出力ピンを介して自己が接続される前記ピクセル回路の前記コンデンサを前記電圧値に短期間に充電するために前記ピクセル回路の前記コンデンサを初期充電するための電流あるいは電圧を発生する充電回路を有する請求項１記載のアクティブマトリックス型有機ＥＬパネルの有機ＥＬ駆動回路。
【請求項３】
　さらに、前記コンデンサを前記電圧値に充電するための電流は、前記出力ピンから前記ピクセル回路へ吐き出される電流あるいは前記ピクセル回路から前記出力ピンへ引き込む電流のいずれか一方に応じて発生し、前記有機ＥＬ素子を初期充電するための電流は、前記出力ピンから吐き出されるもう他のある電流あるいは前記出力ピンへ引き込む他のある電流のいずれか一方に応じて発生する請求項１記載のアクティブマトリックス型有機ＥＬパネルの駆動回路。
【請求項４】
　さらに前記電流駆動回路は、前記出力ピンを介して自己が接続される前記ピクセル回路の前記コンデンサを前記電圧値に短期間に充電するために前記ピクセル回路の前記コンデンサを初期充電するための電流あるいは電圧を発生する充電回路を有する請求項３記載のアクティブマトリックス型有機ＥＬパネルの有機ＥＬ駆動回路。
【請求項５】
　前記電流駆動回路は、プッシュ・プルの電流出力回路で構成され、この電流出力回路のプッシュ側回路が前記出力ピンから前記ピクセル回路へ電流を吐き出す動作をし、前記電流出力回路のプル側回路が前記ピクセル回路から前記出力ピンへ電流を引き込む動作をする請求項４記載のアクティブマトリックス型有機ＥＬパネルの駆動回路。
【請求項６】
　前記書込制御回路は、前記電圧値を記憶するための書込み行う手前で前記コンデンサのリセットを行い、前記電流駆動回路も前記有機ＥＬ素子を駆動する手前で前記有機ＥＬ素子のリセットを行う請求項５記載のアクティブマトリックス型有機ＥＬパネルの駆動回路。
【請求項７】
　前記ピクセル回路の前記有機ＥＬ素子の電圧のリセットは、自己の前記ピクセル回路が接続された前記電流駆動回路が自己の前記出力ピンに電流を引き込むことによってなされる請求項６記載のアクティブマトリックス型有機ＥＬパネルの駆動回路。
【請求項８】
　前記コンデンサの前記電圧値のリセットは、前記コンデンサに並列に設けられたトランジスタをＯＮにすることで行われる請求項６記載のアクティブマトリックス型有機ＥＬパネルの駆動回路。
【請求項９】
　前記プッシュ側回路は、前記出力ピンに第１のスイッチ回路を介して接続された前記有機ＥＬ素子を初期充電するための第１の電流源を有し、前記プル側回路は、前記出力ピンに第２のスイッチ回路を介して接続された第２の電流源と前記出力ピンに第３のスイッチ回路を介して接続された第３の電流源とを有し、前記第２の電流源が前記コンデンサを初期充電するための電流を発生する前記充電回路となり、前記第３の電流源は、前記コンデンサに前記電圧値を書込むための電流を発生する請求項８記載のアクティブマトリックス型有機ＥＬパネルの駆動回路。
【請求項１０】
　前記プッシュ側回路は、前記出力ピンに第１のスイッチ回路を介して接続された前記有機ＥＬ素子を初期充電するための第１の電流源を有し、前記プル側回路は、前記出力ピンに第２のスイッチ回路を介して接続された第２の電流源を有し、この第２の電流源源が前記コンデンサに前記電圧値を書込むための電流を発生し、さらに前記出力ピンに第３のスイッチ回路を介して接続された電圧源を有し、この電圧源が前記コンデンサを初期充電するための電流を発生する前記充電回路となる請求項８記載のアクティブマトリックス型有機ＥＬパネルの駆動回路。
【請求項１１】
　請求項１〜１０のいずれか１項に記載されたアクティブマトリックス型有機ＥＬパネルの駆動回路を有する有機ＥＬ表示装置。
【請求項１２】
　請求項９記載アクティブマトリックス型有機ＥＬパネルの駆動回路とコントローラとを備え、このコントローラにより前記第１の電流源を動作させて前記有機ＥＬ素子が初期充電され、前記コントローラにより前記第２および第３の電流源を動作させて前記ピクセル回路の前記コンデンサが初期充電されるとともに前記電圧値が記憶される有機ＥＬ表示装置。
【請求項１３】
　請求項１０記載アクティブマトリックス型有機ＥＬパネルの駆動回路とコントローラとを備え、このコントローラにより前記第１の電流源を動作させて前記有機ＥＬ素子が初期充電され、前記コントローラにより前記電圧源を動作させて前記ピクセル回路の前記コンデンサが初期充電され、前記コントローラにより前記第２の電流源を動作させて前記電圧値が記憶される有機ＥＬ表示装置。
【請求項１４】
　前記ピクセル回路は、第１，第２，第３，第４のＰチャネルＭＯＳトランジスタを有し、前記第１のトランジスタは、選択線と前記データ線の交点においてそれぞれの線にゲートとドレインがそれぞれ接続され、この第１のトランジスタのソースは、前記第２のトランジスタのドレイン−ソースを介して前記第３のトランジスタのゲートに接続され、この第３のトランジスタのソース−ゲート間に前記コンデンサＣが接続され、前記第３のトランジスタのソースは、電源ラインに接続され、そのドレインは、前記第４のトランジスタのソースに接続され、前記第４のトランジスタのドレインが前記有機ＥＬ素子の陽極に接続されている請求項１１記載の有機ＥＬ表示装置。
【請求項１５】
　前記書込制御回路は、前記第１および第４のトランジスタをＯＮにして前記有機ＥＬ素子にこれを充電するための前記電流を流すことにより前記有機ＥＬ素子を初期充電し、前記第１および第２のトランジスタをＯＮにして前記出力ピンから電流をシンクすることで前記コンデンサを初期充電しかつ前記コンデンサに前記電圧値を書込む請求項１４記載の有機ＥＬ表示装置。
【請求項１６】
　さらに、前記コンデンサに配列にＰチャネルＭＯＳ第５のトランジスタを有し、前記書込制御回路は、前記第５のトランジスタをＯＮにして前記コンデンサの前記電圧値をリセットする請求項１５記載の有機ＥＬ表示装置。
【請求項１７】
　前記ピクセル回路は、前記有機ＥＬ素子を駆動するための第１および第２のＭＯＳトランジスタからなる直列回路と、前記コンデンサに前記電圧値を書き込むための第３および第４のＭＯＳトランジスタとを有し、
　前記コンデンサは、前記第１のＭＯＳトランジスタのゲートと前記第１のＭＯＳトランジスタのソースおよびドレインの一方の電極との間に接続され、
　前記第２のトランジスタのソースおよびドレインの一方が前記有機ＥＬ素子の陽極に接続され、
　前記第３のＭＯＳトランジスタが前記第１のＭＯＳトランジスタのゲートと前記第１のＭＯＳトランジスタのソースおよびドレインの他方の電極との間に接続され、
　前記第４のＭＯＳトランジスタが前記第１のＭＯＳトランジスタの前記他方の電極と前記電流駆動回路の前記出力ピンとの間に接続され、そして、
　前記第２のＭＯＳトランジスタのゲートと前記第３のＭＯＳトランジスタのゲートのいずれか一方がいずれか他方とインバータを介して接続され、
　前記書込制御回路は、前記第４のＭＯＳトランジスタのゲートと前記インバータの入力側が接続されたゲートとに制御信号を送出して前記第２、前記第３および前記第４のトランジスタのＯＮ／ＯＦＦを制御することで前記書込み制御を行う請求項１１記載の有機ＥＬ表示装置。
【請求項１８】
　前記ピクセル回路は、さらに、前記コンデンサの電荷を放電するために前記コンデンサに並列に接続されたの第５のＭＯＳトランジスタを有し、前記書込制御回路は、前記第５のＭＯＳトランジスタをＯＮにして書込まれた前記コンデンサの前記電圧値をリセットする請求項１７記載の有機ＥＬ表示装置。
【発明の詳細な説明】
【技術分野】
【０００１】
　この発明は、アクティブマトリックス型有機ＥＬパネルの駆動回路および有機ＥＬ表示装置に関し、詳しくは、携帯電話機，ＰＨＳ等の装置において、アクティブマトリックス型有機ＥＬパネルの有機ＥＬ素子を初期充電（早期に発光させるための発光開始時の充電）することができ、さらにピクセル回路のコンデンサへの駆動電流値の書込み時間を低減でき、有機ＥＬ素子の輝度を向上させることができるような高輝度カラー表示に適したアクティブマトリックス型の有機ＥＬ表示装置に関する。
【背景技術】
【０００２】
　有機ＥＬ表示装置は、自発光による高輝度表示が可能であることから、小画面での表示に適し、携帯電話機，ＰＨＳ、ＤＶＤプレーヤ、ＰＤＡ（携帯端末装置）等に搭載される次世代表示装置として現在注目されている。この有機ＥＬ表示装置には、液晶表示装置のように電圧駆動を行うと、輝度ばらつきが大きくなり、かつ、Ｒ（赤），Ｇ（緑），Ｂ（青）に感度差があることから制御が難しくなる問題点がある。
　そこで、最近では、電流駆動のドライバを用いた有機ＥＬ表示装置が提案されている。例えば、特開平１０−１１２３９１号などでは、電流駆動により輝度ばらつきの問題を解決する技術が記載されている（特許文献１）。
　携帯電話機，ＰＨＳ用の有機ＥＬ表示装置の有機ＥＬ表示パネルでは、カラムラインが３９６個（１３２×３）の端子ピン、ローラインが１６２個の端子ピンを持つものが提案され、カラムライン、ローラインの端子ピンはこれ以上に増加する傾向にある。
【０００３】
　このような有機ＥＬ表示パネルの電流駆動回路の出力段は、アクディブマトリックス型でも単純マトリックス型のものでも端子ピン対応に電流源の駆動回路、例えば、カレントミラー回路による出力回路が設けられている。
　アクディブマトリックス型では、表示セル（画素）対応にコンデンサと電流駆動のトランジスタとからなるピクセル回路が設けられていて、コンデンサに記憶した電圧に応じてトランジスタを駆動し、このトランジスタを介して有機ＥＬ素子（以下ＯＥＬ素子）が電流駆動される。その駆動方式には、ＯＥＬ素子をＯＮ／ＯＦＦの２値で制御するデジタル駆動とＯＥＬ素子の駆動電流をアナログ入力データで制御するアナログ駆動とがある。デジタル駆動の場合には、ピクセル内にサブピクセルを設けて表示面積を制御したり、発光時間を時分割して駆動時間の相違により表示画素の階調を制御する。アナログ駆動の場合には電圧指定型（電圧プログラム方式）と電流指定型（電流プログラム方式）とがあって、電圧指定型の場合には各ピクセル回路のコンデンサの端子電圧を電圧信号により設定し、電流指定型の場合には前記コンデンサの端子電圧を電流信号により設定する。
　ところで、マトリックス状に配置したＥＬ素子を電流駆動し、かつ、ＥＬ素子の陽極と陰極をグランドに落としてリセットするＥＬ素子の駆動回路が特許文献１として公知である。また、ＤＣ−ＤＣコンバータを用いてＥＬ素子を低消費電力で電流駆動する技術が特許文献２として公知である。
【０００４】
【特許文献１】特開平９−２３２０７４号公報
【特許文献２】特開２００１−１４３８６７号公報
【発明の開示】
【発明が解決しようとする課題】
【０００５】
　このようなアクディブマトリックス型では、各ピクセル回路ごとの駆動トランジスタの動作閾値のばらつきにより輝度むらが発生し易い。製造過程において表示素子の駆動トランジスタの動作閾値を均一にすることは難しいことなので、各ピクセル回路のコンデンサの電圧を制御することで輝度むらを抑えることが考えられている。そのためピクセル回路内に閾値補償回路が設けられる。その補償回路の一例として前記の電圧プログラム方式の回路と前記の電流プログラム方式の回路とがある。
　前者の電圧プログラム方式は、各ピクセル回路に４個のトランジスタと２個のコンデンサを用いるものであり、データ線，選択線のほかに、駆動トランジスタの動作閾値のばらつきを補償するために２本の線が設けられる。そして、これら２本の線へ制御信号を加えて２つのコンデンサを所定のタイミングで充電することで駆動トランジスタの閾値が影響しない電流駆動が行われる。
　後者の電流プログラム方式は、駆動トランジスタを含めた３個のトランジスタと、特定の電圧設定をするスイッチトランジスタとで構成される。データ線，２本の選択線と、さらに特定の電圧Ｖddの電源線（ソース線）が設けられる。まず、スイッチトランジスタで駆動トランジスタを切り離してコンデンサを電流駆動で充電しておき、その後、スイッチトランジスタにより駆動トランジスタをコンデンサに接続しかつ駆動トランジスタにソース線から電力を供給してＯＥＬ素子を電流駆動する。
【０００６】
　ところで、単純マトリックス型の有機ＥＬ表示パネルの電流駆動回路は、容量性負荷となる特性を持つＯＥＬ素子を初期充電して早期に発光させ、輝度むらを抑えるためにピーク電流を持つ駆動電流が用いられる。この点、アクディブマトリックス型は、ピクセル回路のコンデンサに一旦駆動電流値に対応する電圧値を書込み、記憶しておいて、その後に記憶された電圧値に応じた駆動電流値を発生する。そのためアクディブマトリックス型のＯＥＬ素子は、ピーク電流による駆動は行われない。その結果、ＯＥＬ素子を単純マトリックス型のように早期に発光させることができず、駆動電流値の書込み期間も必要になるので、その分、発光期間が短くなる欠点がある。
　駆動電流値の書込みは、通常、数百ｐＦのピクセル回路のコンデンサを０．１μＡ〜１０μＡ程度の電流で充電することによるので、ピクセル回路のコンデンサへの書込み時間が走査期間全体のうちで１０％程度かそれ以上という比較的大きな割合を占める。その分発光期間が短くなって輝度が落ちる。特に、表示画素数が、例えば、ＶＧＡ，ＸＧＡ等のように高密度になると、電流プログラム方式の回路では、限られた時間内でタイミング制御を行う必要があるために、前記の欠点が問題になる。
　この発明の目的は、このような従来技術の問題点を解決するものであって、アクティブマトリックス型有機ＥＬパネルのＯＥＬ素子を初期充電することができ、ＯＥＬ素子の輝度を向上させることができる高輝度カラー表示に適したアクティブマトリックス型有機ＥＬパネルの駆動回路を提供することにある。
　この発明の他の目的は、アクティブマトリックス型有機ＥＬパネルのＯＥＬ素子を初期充電することができ、ＯＥＬ素子の輝度を向上させることができる有機ＥＬ表示装置を提供することにある。
　この発明のさらに他の目的は、ピクセル回路のコンデンサへの駆動電流値の書込み時間を低減でき、ＯＥＬ素子の輝度を向上させることができるアクティブマトリックス型有機ＥＬパネルの駆動回路および有機ＥＬ表示装置を提供することにある。
【課題を解決するための手段】
【０００７】
　このような目的を達成するための第１の発明のアクティブマトリックス型有機ＥＬパネルの駆動回路および有機ＥＬ表示装置の特徴は、有機ＥＬ表示パネルのデータ線あるいはカラムピンに対応して設けられ、前記データ線あるいは前記カラムピンに接続される出力ピンを有し前記データ線あるいは前記カラムピンを介してピクセル回路のコンデンサを前記電圧値に充電するための電流を発生しかつ前記有機ＥＬ素子を初期充電するための電流を発生する多数の電流駆動回路と、前記コンデンサに前記電圧値を記憶するための書込み制御をしかつ書込まれた前記コンデンサの前記電圧値をリセットする制御をする書込制御回路とを備えるものである。
　また、第２の発明は、前記電流駆動回路が前記出力ピンを介して自己が接続される前記ピクセル回路の前記コンデンサを前記電圧値に短期間に充電するために前記ピクセル回路の前記コンデンサを初期充電するための電流を発生するものである。
【発明の効果】
【０００８】
　このように、第１の発明にあっては、電流駆動回路がピクセル回路のコンデンサをＯＥＬ素子の駆動電流値に対応する電圧値に充電する電流を出力し、さらにＯＥＬ素子を初期充電する電流を出力するので、アクティブマトリックス型有機ＥＬパネルにおいてもＯＥＬ素子を初期充電することが可能になる。しかも、ピクセル回路の外部からＯＥＬ素子が初期充電されるので、ＯＥＬ素子の初期充電の電流値を大きく採ることができる。このことにより、ピクセル回路の駆動電流によりＯＥＬ素子を早期に発光させることができるので、ＯＥＬ素子発光期間をその分、長くすることができる。
　また、第２の発明にあっては、前記電流駆動回路がさらにピクセル回路のコンデンサを初期充電する電流を出力するので、ピクセル回路のコンデンサへの駆動電流値記憶のための書込み時間を短くすることができる。
　その結果、ＯＥＬ素子の輝度を向上させることができ、高輝度カラー表示に適したアクティブマトリックス型有機ＥＬパネルの駆動回路および有機ＥＬ表示装置を実現できる。
【発明を実施するための最良の形態】
【０００９】
　図１は、第１および第２の発明のアクティブマトリックス型の有機ＥＬ表示装置を適用した一実施例のブロック図、図２は、Ｙ方向（ロー方向）走査における走査対象ラインのタイミング制御テーブルの説明図、図３は、この発明の他の実施例のブロック図、そして、図４は、この発明のさらに他の実施例における表示セル駆動回路の具体例の説明図である。来の欠陥検査装置の要部の構成図である。
　図１において、１は、アクティブマトリックス型の有機ＥＬ表示装置であって、データ電極ドライバ２と、書込制御回路３、ピクセル回路４、コントロール回路５、レジスタ６、ロー側走査回路７、そしてＭＰＵ８等により構成されている。なお、ピクセル回路４は、Ｘ，Ｙのマトリックス配線の各交点に対応して多数設けられているが、図では、その１つのみを、それらの代表として示してある。　データ電極ドライバ２は、いわゆる有機ＥＬ駆動回路のカラムドライバ（水平走査方向のドライバ）であって、各データ線（あるいは各カラムピン，以下同じ）対応に設けられた表示セル駆動回路１０をデータ線数分内蔵している。それぞれの表示セル駆動回路１０の出力ピン９は、アクディブマトリックス型のＸ，Ｙのマトリックス配線（データ線，走査線）のうちの、それぞれのデータ線（Ｘ電極＝Ｘ1，Ｘ2，Ｘ3，…Ｘn）にそれぞれに接続されている。
【００１０】
　データ線（カラムピン）対応に設けられた各表示セル駆動回路１０は、ここでは容量性負荷となるピクセル回路４の電流値書込み用コンデンサとＯＥＬ素子４ａをそれぞれ初期充電して、電流駆動し、ＯＥＬ素子４ａの残留電荷を放電する回路となっている。なお、ＯＥＬ素子４ａに並列に設けた点線で示すコンデンサＣpは、ＯＥＬ素子４ａの接合容量により形成される寄生コンデンサである。
　表示セル駆動回路１０は、プッシュ・プル回路で構成されて、プッシュ側の電流源１１とプル側の電流源１２，１３とからなり、プッシュ側の電流源１１は、スイッチ回路ＳＷ１を介して出力ピン９に接続され、プル側の電流源１２，１３は、それぞれスイッチ回路ＳＷ2，ＳＷ3を介して出力ピン９に接続されている。そして、出力ピン９は、有機ＥＬパネルの端子１bを介してデータ線Ｘ1に接続されている。
　ここで、プッシュ側の電流源１１は、ＯＥＬ素子４ａを初期充電する電流を発生する。プル側の電流源１２は、コンデンサＣを初期充電する電流を発生し、また、ＯＥＬ素子４ａをリセットする電流源となる。そして、プル側の電流源１３は、コンデンサＣに所定の電圧値を書込む電流を発生する。
　なお、データ線Ｘ1以外に接続される他の表示セル駆動回路１０は、データ線Ｘ1に接続される表示セル駆動回路１０と構成が同じであるので、それらの説明は割愛する。
　スイッチ回路ＳＷ1〜ＳＷ3は、コントロール回路５からの制御信号Ｓ1，Ｓ2，Ｓ3の“Ｈ”，“Ｌ”の信号によりＯＮ／ＯＦＦされる。プル側の電流源１２，１３の電流値は、Ｄ／Ａ変換回路１４からの電流を受けて、それに応じた電流値の定電流源となる。Ｄ／Ａ変換回路１４で発生する電流は、ＭＰＵ８からレジスタ６に設定された表示データＤＡＴを受けてこのデータ値を変換することで生成される。
　なお、アクティブマトリックス型の有機ＥＬパネルの駆動回路における定電流源とＤ／Ａ変換回路の具体的な回路は、出願人による先行出願の米国出願、出願番号１０，３６０，７１５あるいは出願番号１０，４６３５７９にその一例が開示されている。
【００１１】
　図１に示すように、カラム方向に配置されるデータ線Ｘ1，Ｘ2，Ｘ3，…Ｘn，行方向に配置される多数の走査線Ｙ（選択線Ｙ1，選択線Ｙ2，イレーズ線Ｙ3の３本を単位とした線）からなるＸ，Ｙのマトリックス配線を接続する交点に対応してピクセル回路（表示セル）４が設けられている。ピクセル回路４内には、例えば、図示するように選択線Ｙ1とデータ線Ｘ1の交点においてそれぞれの線にゲートとドレインがそれぞれ接続されたＰチャネルＭＯＳトランジスタＴr１が配置されている。このトランジスタＴr１のソースは、ＰチャネルＭＯＳトランジスタＴr2のドレイン−ソースを介してＯＥＬ素子駆動用のＰチャネルトランジスタＴr3のゲートに接続されている。
　トランジスタＴr3のソース−ゲート間には駆動電流値記憶のためのコンデンサＣが接続され、トランジスタＴr3のソースは、例えば、＋７Ｖ程度の電源ライン＋Ｖccに接続され、そのドレインは、これの下流に設けられたＯＥＬ素子駆動用のＰチャネルトランジスタＴr4のソースに接続されている。そして、トランジスタＴr4のドレインがＯＥＬ素子４ａの陽極に接続されている。
　ＯＥＬ素子４ａの陰極は、有機ＥＬパネルの端子１ａを介してロー側走査回路７のプッシュ・プルのスイッチ回路７０の入力／出力端子７aに接続され、このスイッチ回路７０を介してグランドＧＮＤあるいは電源ライン＋Ｖccに選択的に接続される。
【００１２】
　トランジスタＴr2のゲートは、選択線Ｙ2に接続され、さらに選択線Ｙ2は、インバータ４ｂを介してトランジスタＴr4のゲートに接続されている。また、コンデンサＣの両端子にはソースとドレインが接続されたリセット用のＰチャネルＭＯＳトランジスタＴr5がコンデンサＣに並列に設けられ、このトランジスタのゲートがイレーズ線Ｙ3に接続されている。
　選択線Ｙ1、選択線Ｙ2、イレーズ線Ｙ3は、それぞれ有機ＥＬパネルの端子１c、端子１d、端子１eを介して書込制御回路３に接続され、これら選択線Ｙ1、選択線Ｙ2、イレーズ線Ｙ3を単位としたＹラインが書込制御回路３の制御信号に応じて順次走査されて、Ｙ方向（ロー方向）の走査がロー側走査回路７の走査に同期して行われる。
　ところで、アクティブマトリックス型では、全画面分のＯＥＬ素子を発光させた後にリセットを行う場合と、ローライン走査に対応してピクセル回路のコンデンサＣに電圧値を書込む手前でリセットを行う場合とがある。図１では、１個のピクセル回路しか図示されていないので、リセットについての説明を簡単にするために、発光後にリセットする場合を例に以下説明する。
【００１３】
　さて、走査対象となったＹラインは、その選択線Ｙ1、選択線Ｙ2、イレーズ線Ｙ3が図２の表図に示すように、Ｈｉｇｈレベル（以下“Ｈ”），あるいはＬｏｗレベル（以下“Ｌ”）に設定される。それにより各トランジスタＴr１〜Ｔr5がＯＮ／ＯＦＦされる。これとともに、表示セル駆動回路１０がコントロール回路５から制御信号Ｓ1，Ｓ2，Ｓ3の“Ｈ”，“Ｌ”の信号を受けて、図１に示すように、電流経路(1)でコンデンサＣへの初期充電（ピーク電流駆動）が行われ、次に電流経路(2)でコンデンサＣへの電流値書込みが行われ、次に電流経路(3)でＯＥＬ素子４ａへの初期充電が行われ、続いて電流経路(4)でピクセル回路４によるＯＥＬ素子４ａの発光駆動が行われる。そして最後に電流経路で(5)でコンデンサのリセットが行われる。これにより現在走査対象となっているＹラインの走査が終了する。なお、前記の電流経路(1)〜電流経路(5)については、各図では○付き数字の１〜５で示す。
　同様にして、次のＹラインの走査が電流経路(1)から開始されて電流経路(2)〜電流経路(5)を経て終了し、このような走査がＹ方向（ロー方向）において現在の走査線から次の走査線へと順次繰り返されていく。
　なお、選択線Ｙ1，選択線Ｙ2，イレーズ線Ｙ3を含むＹラインは、ロー方向（垂直方向）のピクセル回路分（走査線数分）設けられ、それらが書込制御回路３に接続されているが、ここではロー側走査回路７のスイッチ回路７０と同様にロー方向に走査される１ピクセル回路１個分だけの関係しか示していない。その他の回路は省略してある。
【００１４】
　ロー側走査回路７のスイッチ回路７０は、Ｒ，Ｇ，Ｂの水平走査方向の１ラインに対応する１ライン分の駆動電流値が各ピクセル回路（表示セル）４のコンデンサＣに書込まれた後にロー側走査回路７のスイッチ回路７０のスイッチ７１がＯＮになり、ＯＥＬ素子４ａの陰極がグランドＧＮＤに接続されて水平走査方向の１ライン分のＯＥＬ素子４ａが同時駆動される。
　プッシュ・プルのスイッチ回路７０は、ロー側走査回路７においてロー方向の走査ラインに対応して多数設けられている。走査対象となるＹラインに接続されたスイッチ回路７０は、そのプル側のスイッチ７１がＯＮし、プッシュ側のスイッチ７２がＯＦＦする。これによりＯＥＬ素子４ａの陰極がグランドＧＮＤに接続される。このとき、走査が終了した手前のスイッチ回路７０のプル側のスイッチ７１はＯＦＦし、プッシュ側のスイッチ７２がＯＮして走査が終了した走査ラインは“Ｈ”にプルアップされる。
【００１５】
　さて、アクティブマトリックス型では、コンデンサＣが駆動電流値を記憶するので、水平方向１ライン分ではなく、前記したように、１画面分の駆動電流値を１画面分のそれぞれのピクセル回路のコンデンサＣに記憶させた後に各走査ラインのスイッチ回路７０のスイッチ７１をＯＮさせ、スイッチ７２をＯＦＦさせてもよい。この場合には、このスイッチ回路７０を１個設ければよく、ロー側走査回路７を用いる必要はない。また、Ｒ，Ｇ，Ｂの１画面を時分割で駆動する場合には、前記の１画面は、Ｒ，Ｇ，Ｂに対応して設けられるので、このスイッチ回路７０は、Ｒ，Ｇ，Ｂのそれぞれの１画面に対応して１個づつ、合計で３個設けられることになる。
　コンデンサＣに書込まれた電荷は、書込制御回路３に接続された走査線Ｙ3が書込制御回路３により“Ｌ”にされることで、トランジスタＴｒ5がＯＮになり、このトランジスタを介して高速に放電される。これにより、コンデンサＣの電圧がリセットされる。前記したように、このリセットは、ローライン走査に対応してピクセル回路のコンデンサＣに電圧値を書込むときに、その手前の帰線期間に行われてもい。
　なお、選択線Ｙ1，選択線Ｙ2，イレーズ線Ｙ3とは、それぞれ書込制御回路３からタイミング信号Ｔ1，Ｔ2を受けて走査される。また、前記のような走査を行う書込制御回路３は、コントロール回路５により制御される。
【００１６】
　図２は、Ｙ方向（ロー方向）走査における走査対象ラインのタイミング制御テーブルである。コントロール回路５の制御信号Ｓ1，Ｓ2，Ｓ3の“Ｈ”，“Ｌ”の信号と、書込制御回路３の選択線Ｙ1，選択線Ｙ2，イレーズ線Ｙ3を“Ｈ”，“Ｌ”にする制御信号の発生タイミングとが制御内容に対応して示してある。表の最後の欄には、これら制御信号に応じて形成される電流経路(1)（点線参照）でのコンデンサＣへの初期充電（ピーク電流駆動）、電流経路(2)（点線参照）でのコンデンサＣへの電流値書込み、表示期間における電流経路(3)（細線参照）でのＯＥＬ素子４ａへの初期充電（ピーク電流駆動）と電流経路(4)（点線参照）でのＯＥＬ素子４ａの発光駆動、そしてリセット期間におけるコンデンサＣのリセット動作に対応して電流経路(5)（細線参照）でのＯＥＬ素子４ａのリセット動作が対応付けられている。
　まず、この表の最初の行に示すコンデンサＣへの初期充電（ピーク電流駆動）は、選択線Ｙ1＝“Ｌ”，選択線Ｙ2＝“Ｌ”，イレーズ線Ｙ3＝“Ｈ”にしてトランジスタＴr1，Ｔr2をＯＮにし、Ｔr4，Ｔr5をＯＦＦにする。そして制御信号Ｓ1＝“Ｌ”，Ｓ2＝“Ｈ”，Ｓ3＝“Ｈ”にしてスイッチ回路ＳＷ2，ＳＷ3を共にＯＮにし、スイッチ回路ＳＷ1をＯＦＦのままにする制御をする。
　なお、スイッチ回路ＳＷ1〜ＳＷ3は、ここでは“Ｈ”でＯＮになる。初期状態では、制御信号Ｓ1＝“Ｌ”，Ｓ2＝“Ｌ”，Ｓ3＝“Ｌ”となっていて、スイッチ回路ＳＷ1〜ＳＷ3はＯＦＦである。
　これにより、ＯＮしたスイッチ回路ＳＷ2，ＳＷ3と、ＯＮしているトランジスタＴr1，Ｔr2を介して電源ライン＋Ｖccから電流経路(1)として示す経路で定電流源１２，１３による駆動電流が流れる。このとき、ピーク電流に相当する大きな充電電流が短期間に流れ、コンデンサＣが早期に初期充電される。その結果、トランジスタＴr3もＯＮになる。
【００１７】
　第２行目に示す、前記に続いて行われるコンデンサＣへの電流値書込みは、選択線Ｙ1＝“Ｌ”，選択線Ｙ2＝“Ｌ”，イレーズ線Ｙ3＝“Ｈ”に維持しておき、トランジスタＴr1〜Ｔr3をＯＮ、Ｔr4，Ｔr5をＯＦＦのままにする。この状態で、制御信号Ｓ2を“Ｌ”にしてスイッチ回路ＳＷ2をＯＦＦにする制御をする。このとき、各制御信号は、制御信号Ｓ1＝“Ｌ”，Ｓ2＝“Ｌ”，Ｓ3＝“Ｈ”となり、スイッチ回路ＳＷ1はＯＦＦのままであり、スイッチ回路ＳＷ3はＯＮのままである。
　これにより、ＯＮしているスイッチ回路ＳＷ3と、出力ピン９、ＯＮしているトランジスタＴr1，Ｔr2とを介してピクセル回路４の電源ライン＋Ｖccから電流経路(2)として示す経路で定電流源１３による駆動電流が流れる。これにより、ＯＥＬ素子の駆動電流値に対応するような充電電流がコンデンサＣに流れ、コンデンサＣが駆動電流値に応じた電圧値に設定される。
　第３行目に示す、次のＯＥＬ素子４ａへの初期充電（ピーク電流駆動）は、選択線Ｙ2を“Ｈ”にしてトランジスタＴr2をＯＦＦにし、トランジスタＴr4をＯＮにする制御である。このとき、各選択線は、選択線Ｙ1＝“Ｌ”，選択線Ｙ2＝“Ｈ”，イレーズ線Ｙ3＝“Ｈ”となり、トランジスタＴr1はＯＮのままであり、トランジスタＴr5はＯＦＦのままである。
【００１８】
　初期充電（ピーク電流駆動）は、この状態で、さらに制御信号Ｓ1を“Ｈ”，制御信号Ｓ3を“Ｌ”として、スイッチ回路ＳＷ1をピーク発生の一定期間だけＯＮにし、スイッチ回路ＳＷ3をＯＦＦにする。このとき、各制御信号は、制御信号Ｓ1＝“Ｈ”，Ｓ2＝“Ｌ”，Ｓ3＝“Ｌ”となり、スイッチ回路ＳＷ2はＯＦＦのままである。これと同時に、ロー側走査回路７は、スイッチ回路７０のプル側のスイッチ７１がＯＮになり、スイッチ７２がＯＦＦになって、ＯＥＬ素子４ａを発光させる表示期間に入る。
　その結果、ＯＮしたスイッチ回路ＳＷ1と、出力ピン９、ＯＮしているトランジスタＴr1，Ｔr4とを介してピクセル回路（表示セル）４の電源ライン＋Ｖccから電流経路(3)として示す経路で定電流源１１による駆動電流が流れる。これにより、ピーク電流に相当する大きな電流がＯＥＬ素子４ａに短期間に流れて早期にＯＥＬ素子４ａが初期充電されるとともに、ＯＮしたトランジスタＴr3，Ｔr4を経てピクセル回路４の電源ライン＋ＶccからコンデンサＣの電圧値に対応した駆動電流がＯＥＬ素子４ａへと流れ、ＯＥＬ素子４ａの発光が開始する。
【００１９】
　第４行目に示す、次のＯＥＬ素子４ａの発光駆動は、選択線Ｙ1を“Ｈ”にしてトランジスタＴr1をＯＦＦにする制御をする。このとき、各選択線は、選択線Ｙ1＝“Ｈ”，選択線Ｙ2＝“Ｈ”，イレーズ線Ｙ3＝“Ｈ”となり、トランジスタＴr2，トランジスタＴr5をＯＦＦのままにする。その結果、コンデンサＣに記憶された電圧に従った駆動電流がピクセル回路４の電源ライン＋ＶccからＯＮしているトランジスタＴr3，Ｔr4を介して電流経路(4)の経路で流れる。これにより、所定の駆動電流がＯＥＬ素子４ａに供給されて所定の駆動電流に従った輝度で駆動ＯＥＬ素子４ａが発光し続ける。トランジスタＴr1がＯＦＦすることで、ピクセル回路４は、出力ピン９から切り離される。
　このときには、各制御信号は、制御信号Ｓ1＝“Ｌ”，Ｓ2＝“Ｌ”，Ｓ3＝“Ｌ”となっていて、スイッチ回路ＳＷ1〜ＳＷ3は、ＯＦＦとなり、表示セル駆動回路１０には電流が流れない。
　ＯＥＬ素子４ａを発光させる表示期間が終了してロー側走査回路７の走査対象となっていたスイッチ回路７０のプル側スイッチ７１がＯＦＦになり、プッシュ側スイッチ７２がＯＮになると、コンデンサＣとＯＥＬ素子４ａのリセット動作の期間に入る。
【００２０】
　リセット動作は、第５行目に示すように、選択線Ｙ1を“Ｌ”にし、イレーズ線Ｙ3を“Ｌ”にしてトランジスタＴr1，Ｔr5をＯＮにし、トランジスタＴr3をＯＦＦにする制御になる。このとき、各選択線は、選択線Ｙ1＝“Ｌ”，選択線Ｙ2＝“Ｈ”，イレーズ線Ｙ3＝“Ｌ”となり、トランジスタＴr2はＯＦＦのままである。
　トランジスタＴr4はＯＮであるが、トランジスタＴr3がＯＦＦになるのでピクセル回路４からＯＥＬ素子４ａに駆動電流は流れない。また、このリセット期間ときには、スイッチ回路７０のプル側スイッチ７１がＯＮに保持されている。このリセット動作では、この状態で、さらに制御信号Ｓ2を“Ｈ”にしてスイッチ回路ＳＷ2をＯＮにする。
　これにより、コンデンサＣの電荷は、ＯＮしたトランジスタＴr5を介して急速に放電される。このとき同時に、ＯＥＬ素子４ａのコンデンサＣpの電荷もＯＮしたトランジスタＴr1，出力ピン９、ＯＮしたスイッチ回路ＳＷ2、定電流源１２を介して電流経路(5)として示す経路でグランドＧＮＤへと流れて急速に放電される。
　なお、このときの各制御信号は、制御信号Ｓ1＝“Ｌ”，Ｓ2＝“Ｈ”，Ｓ3＝“Ｌ”であり、スイッチ回路ＳＷ1，ＳＷ3はＯＦＦのままである。
【００２１】
　ところで、有機ＥＬのパネルの走査方式がロー側走査回路７によってローラインを順次走査するときには、リセット期間において前記したようにリセット期間において、コンデンサＣへ電圧値を記憶する手前でリセットが行われることが多い。この場合には、現在走査するラインのコンデンサＣ，コンデンサＣpの電荷を放電するリセット期間終了後にスイッチ回路７１がＯＮになり、走査ラインのＯＥＬ素子を発光させる制御が行われる。この発光後に次の走査ラインのリセット期間に入る。このときには走査が終了したローラインに接続されるＯＥＬ素子の陰極側は、“Ｈ”にプルアップされ、そのラインのロー側の走査が終了る。
　このようなロー側走査では、リセット期間が発光期間（表示期間）の手前となる。そこで、走査対象ラインに接続されたコンデンサとＯＥＬ素子のリセットは、図２の表の電流経路(5)が先になり、電流経路(1)〜(4)がその後になる。その結果、あるピクセル回路のコンデンサとＯＥＬ素子のリセットは、図２の表において、リセット期間（電流経路(5)）が先頭になる。
【００２２】
　リセット期間が発光期間の発光期間の後にある場合には、ロー側の走査が終了したＹラインは、ここで、初期状態に戻り、各制御信号は、制御信号Ｓ1＝“Ｌ”，Ｓ2＝“Ｌ”，Ｓ3＝“Ｌ”となる。これにより、スイッチ回路ＳＷ1〜ＳＷ3は、リセット期間の後に設けられるロー側の走査ラインの切換期間（帰線期間）にＯＦＦにされ、初期状態になる。
　なお、例えば、Ｒ，Ｇ，Ｂの１画面対応に走査する場合など、ロー側走査回路７によりローラインを順次走査しない場合には、すべてのローラインは、ＯＥＬ素子発光時に“Ｌ”にプルダウンされ、発光終了後に“Ｈ”にプルアップされる。
【００２３】
　さて、この実施例では、ＯＥＬ素子４ａへの初期充電については、ピクセル回路４からの駆動電流と定電流源１１から供給される駆動電流とを合わせてピーク電流を生成している。これによりＯＥＬ素子４ａを駆動してＯＥＬ素子４ａを発光を開始させている。しかし、このように初期充電電流と駆動電流とを同時に発生してピーク電流駆動することは必ずしも必要とされない。ピクセル回路４からの駆動電流は初期充電後に流すようにしてもよい。
　この場合の制御は、先に定電流源１１から初期充電のための電流を供給するためにスイッチ回路ＳＷ1を初期充電のための一定期間だけＯＮにする。その後にロー側走査回路７のスイッチ回路７０のプル側のスイッチ７１をＯＮし、スイッチ７２をＯＦＦにする。これにより、初期充電後にＯＥＬ素子４ａを発光させる表示期間に入ることができる。
　同様に、この実施例では、コンデンサＣへの初期充電についても、図２の表に示すようにスイッチ回路ＳＷ2とＳＷ3とをＯＮにして書込電流に初期充電電流を加えて、これらを合わせてピーク電流駆動を行っているが、これも初期充電電流と書込電流とを同時に発生するようなピーク電流駆動はせずに、単に初期充電電流だけ先に流して、その後に書込電流を流してもよい。
　この場合の制御は、各制御信号を制御信号Ｓ1＝“Ｌ”，Ｓ2＝“Ｈ”，Ｓ3＝“Ｌ”としてスイッチ回路ＳＷ2のみをＯＮにして定電流源１２による電流駆動でコンデンサＣを初期充電した後に、制御信号Ｓ2を“Ｌ”にしてスイッチ回路ＳＷ2をＯＦＦにし、その後に制御信号Ｓ3を“Ｈ”にしてスイッチ回路ＳＷ3をＯＮにする。これにより、初期充電後に、定電流源１３による電流駆動でコンデンサＣに対して電流値の書込みを行うことができる。
【００２４】
　さらに、コンデンサＣへ電圧値を記憶する手間でリセットをするリセット期間では、スイッチ回路ＳＷ2がＯＮになっているので、制御信号Ｓ1＝“Ｌ”，Ｓ2＝“Ｌ”，Ｓ3＝“Ｌ”とする初期状態に設定することなく、単に、各選択線を選択線Ｙ1＝“Ｌ”，選択線Ｙ2＝“Ｌ”，イレーズ線Ｙ3＝“Ｈ”にすることで、トランジスタＴr1，Ｔr2をＯＮにし、Ｔr4，Ｔr5をＯＦＦにして、ＯＥＬ素子４ａの残留電荷の放電に続いて電流経路(1)に沿ってコンデンサＣの初期充電に入ることができる。
　図３は、トランジスタＴr5を削除し、コンデンサＣの電荷の放電をトランジスタＴr3を介して行う実施例である。これにより、リセット期間は図１の実施例よりも多少長くなるが、ピクセル回路４を構成するトランジスタは、４個で済み、イレーズ線Ｙ3は不要になる。
【００２５】
　この実施例におけるコンデンサＣとＯＥＬ素子４ａのリセット動作について説明すると、リセット動作のときには、選択線Ｙ1を“Ｈ”，選択線Ｙ2を“Ｌ”にする。これによりトランジスタＴr1はＯＦＦになり、トランジスタＴr2がＯＮになり、トランジスタＴr4がＯＦＦになる。このとき、トランジスタＴr3は、コンデンサＣに記憶された電圧でＯＮになっているので、このトランジスタＴr3とＯＮしたトランジスタＴr2とを介してコンデンサＣの電荷が放電される。
　なお、このリセット期間には、各制御信号は、制御信号Ｓ1＝“Ｌ”，Ｓ2＝“Ｈ”，Ｓ3＝“Ｌ”となっていて、スイッチ回路ＳＷ2がＯＮになり、スイッチ回路ＳＷ1，ＳＷ3がＯＦＦのままである。そこで、コンデンサＣの電荷が放電された後のタイミングで、選択線Ｙ1＝“Ｌ”，選択線Ｙ2＝“Ｈ”にする。このことで、トランジスタＴr2がＯＦＦとなり、トランジスタＴr1，Ｔr4が共にＯＮになる。さらに、コンデンサＣの放電が終了することでトランジスタＴr3がＯＦＦとなっている。そこで、前記したように、ＯＥＬ素子４ａのコンデンサＣpの電荷がトランジスタＴr1，出力ピン９、スイッチ回路ＳＷ2、定電流源１２を介してグランドＧＮＤに急速に放電される。
【００２６】
　図４は、この発明のさらに他の実施例における表示セル駆動回路の具体例の説明図である。
　図４の表示セル駆動回路１００は、図１あるいは図３の表示セル駆動回路１０に置換えて使用することができる。
　表示セル駆動回路１００は、表示セル駆動回路１０におけるプル側の電流源１２が削除されている。これに換えて定電圧源１０１（ボルテージフォロア）が設けられ、この定電圧回路１０１がスイッチ回路ＳＷ2を介して出力ピン９に接続されている。
　その制御は、図２の表の第２行目から第４行目のコンデンサＣへの電流値書込みからＯＥＬ素子４ａへの初期充電までは同じである。第１行目と第５行目の選択線，イレーズ線の制御も同じである。異なるのは、図２の第１行目のコンデンサＣへ初期充電するときと、第５行目のリセットするときの各スイッチ回路をＯＮ／ＯＦＦする制御だけである。
　そこで、これについて説明する。第１行目のコンデンサＣへの初期充電のときの制御信号は、図２では、Ｓ1＝“Ｌ”，Ｓ2＝“Ｈ”，Ｓ3＝“Ｈ”になっているが、これに換えて制御信号をＳ1＝“Ｌ”，Ｓ2＝“Ｈ”，Ｓ3＝“Ｌ”にする。これによりスイッチ回路ＳＷ1，ＳＷ3をＯＦＦにし、スイッチ回路ＳＷ2をＯＮにする制御をする。
【００２７】
　第５行目のリセットのときの制御信号は、Ｓ1＝“Ｌ”，Ｓ2＝“Ｈ”，Ｓ3＝“Ｌ”であるが、これに換えて制御信号をＳ1＝“Ｌ”，Ｓ2＝“Ｌ”，Ｓ3＝“Ｈ”にする。これによりスイッチ回路ＳＷ1，ＳＷ2をＯＦＦにしてスイッチ回路ＳＷ3をＯＮにする制御をする。
　ピクセル回路４の各トランジスタのＯＮ／ＯＦＦの制御は、図１，図３の実施例と変わりはない。
　そこで、コンデンサＣへの初期充電から説明すると、前記の各スイッチ回路のＯＮ／ＯＦＦ制御により、スイッチ回路ＳＷ1，ＳＷ3がＯＦＦになり、スイッチ回路ＳＷ2がＯＮになる。そこで、定電圧源１０１からの電圧がデータ線Ｘ1、ＯＮしているトランジスタＴｒ1，Ｔｒ2を介してコンデンサＣに加えられる。これによりコンデンサＣが定電圧源１０１の電圧に設定される。したがって、リセットされたときのコンデンサＣの電圧に対して定電圧源１０１の電圧が高い場合には、出力ピン９から電圧差分の電流が流れ出る。逆にリセットされたときのコンデンサＣの電圧に対して定電圧源１０１の電圧が低い場合には、出力ピン９へ電圧差分の電流が引き込まれる。このとき、図１，図３の場合よりも移動する電流量は少ない。
【００２８】
　なお、定電圧源１０１の電圧は、ピクセル回路４のトランジスタＴr3、Ｔｒ4の閾値に応じてプログラマブル電圧発生回路１０２に対して外部からデータ設定等をすることにより調整できるようになっている。この電圧調整により輝度むら等を抑えることができる。
　次にコンデンサＣとＯＥＬ素子４ａのリセットについて説明する。前記の各スイッチ回路のＯＮ／ＯＦＦ制御により、スイッチ回路ＳＷ3がＯＮになり、スイッチ回路ＳＷ1，ＳＷ2がＯＦＦになるので、ＯＥＬ素子４ａは、ＯＮしているトランジスタＴｒ4，Ｔｒ1，出力ピン９、電流源１３を介してリセットされる。コンデンサＣのリセットは、図１，図３の場合と同じであり、ＯＮしているトランジスタＴｒ5あるいはＯＮしているトランジスタＴｒ2，Ｔｒ3により行われる。
　この実施例では、コンデンサＣの初期充電が定電圧源１０１による電圧設定で行われる。この定電圧源１０１は、図示するように、ピクセル回路４に対応して設けられた表示セル駆動回路１００に内蔵されている。
【００２９】
　このようにコンデンサＣに対して電圧設定をする場合には、定電圧源１０１は、必ずしも各表示セル駆動回路１００に設けられる必要はない。例えば、Ｒ，Ｇ，Ｂのそれぞれのデータ電極ドライバ２に対応してそれぞれに１個ずつ、合計で３個設けられるだけであってもよい。又は全体で１個設けるようにしてもよい。
　ところで、図１乃至図４の実施例において、発光前あるいは発光後にＯＥＬ素子４ａの電荷をリセットするようにしているが、アクディブ型有機ＥＬパネルでは、ＯＥＬ素子４ａのリセットはパッシブ型の有機ＥＬパネルほどは必要とされていない。
【産業上の利用可能性】
【００３０】
　以上説明してきたが、コンデンサＣを初期充電するときには、同時にトランジスタＴｒ3のゲートに寄生する入力容量に対しても初期充電される。さらに、コンデンサＣの駆動ラインに接続されるトランジスタの入力容量やＸ1の寄生する浮遊容量等の初期充電もこのとき同時に行われる。これにより、ＯＥＬ素子４ａの駆動から発光までの時間短縮ができるとともに、発光までの初期駆動特性を改善することができる。
　実施例の表示セル駆動回路１０は、プッシュ・プルの電流駆動回路で構成し、プッシュ側の電流によってＯＥＬ素子４ａのコンデンサＣpを初期充電し、プル側の電流によって駆動電流値記憶用のコンデンサＣを初期充電し、さらに駆動電流値の書込みを行っている。しかし、これは、例えば、ＰチャネルＭＯＳトランジスタをＮチャネルＭＯＳトランジスタとするなど、ピクセル回路の構成によっては、逆に、プッシュ側の電流によってコンデンサＣを初期充電しさらに電流値を書込み、プル側の電流によってＯＥＬ素子４ａのコンデンサＣpに初期充電することができる。
【００３１】
　さらに、実施例の表示セル駆動回路１０は、出力ピン９に接続される各電流源１１，１２，１３あるいは電圧源１０１に対してそれぞれ直列にスイッチ回路ＳＷ1，ＳＷ2，ＳＷ3を設けている。そして、スイッチ回路ＳＷ1，ＳＷ2，ＳＷ3のＯＮ／ＯＦＦにより電流源１１（あるいは電圧源１０１）から出力ピン９に電流を供給し、あるいは、電流源１２（あるいは電圧源１０１），電流源１３により出力ピン９から電流をシンクするようにしている。しかし、これは、回路構成を原理的に説明したものであって、スイッチ回路ＳＷ1，ＳＷ2，ＳＷ3を各電流源（電圧源）に直列に設けることなく、直接各電流源（電圧源）を制御信号Ｓ1，Ｓ2，Ｓ3に応じて選択的に起動して各電流を発生させ、あるいは発生した電流を停止するような回路構成を採ってもよいことはもちろんである。
　また、実施例では、ロー側走査回路７のスイッチ回路としてプッシュ・プルのスイッチ回路を使用しているが、これは、ＯＥＬ素子４ａのコンデンサＣpの電荷の放電路が別に形成されていれば、単に、グランドＧＮＤに接続するスイッチ回路であってもよい。さらに、このロー側走査回路７は、ピクセル回路４と同様に有機ＥＬパネル内に内蔵されていてもよい。
【００３２】
　さらに、実施例の電流駆動回路は、白黒表示のものでもよいので、Ｒ，Ｇ，Ｂそれぞれに対応して設けられていなくてもよい。
　なお、実施例では、ＭＯＳＦＥＴトランジスタを主体として構成しているが、バイポーラトランジスタを主体としても構成してもよいことはもちろんである。また、実施例のＮチャンネル型トランジスタ（あるいはｎｐｎ型）は、Ｐチャンネル型（あるいはｐｎｐ型）トランジスタに、Ｐチャンネル型トランジスタは、Ｎチャンネル（あるいはｎｐｎ型）トランジスタに置き換えることができる。この場合には、電源電圧は負となり、上流に設けたトランジスタは下流に設けることになる。
　ところで、この発明における出力ピンには、ＩＣのパッドに接続されているバンプ等として形成される出力端子も含まれることはもちろんである。
【図面の簡単な説明】
【００３３】
【図１】図１は、第１および第２の発明のアクティブマトリックス型の有機ＥＬ表示装置を適用した一実施例のブロック図である。
【図２】図２は、Ｙ方向（ロー方向）走査における走査対象ラインのタイミング制御テーブルの説明図である。
【図３】図３は、この発明の他の実施例のブロック図である。
【図４】図４は、この発明のさらに他の実施例における表示セル駆動回路の具体例の説明図である。来の欠陥検査装置の要部の構成図である。
【符号の説明】
【００３４】
　１…アクティブマトリックス型の有機ＥＬ表示装置、
　２…データ電極ドライバ、３…書込制御回路、
　４…ピクセル回路、４ａ…有機ＥＬ素子、４ｂ…インバータ、
　５…コントロール回路、
　６…レジスタ、７…ロー側走査回路、
　７０…スイッチ回路、
　８…ＭＰＵ、９…出力ピン、
　１０，１００…表示セル駆動回路、
　１１…プッシュ側の電流源、
　１２，１３…プル側の電流源、
　１４…Ｄ／Ａ変換回路、
　７０，ＳＷ1〜ＳＷ3…スイッチ回路、
　７１，７２…スイッチ、
　１０１…定電圧回路、
　Ｓ1，Ｓ2，Ｓ3…制御信号、
　Ｃ，Ｃp…コンデンサ、
　Ｔr1〜Ｔr5…トランジスタ。
【図１】
2004078210.tif 000003
【図２】
2004078210.tif 000004
【図３】
2004078210.tif 000005
【図４】
2004078210.tif 000006